(57)【要約】【課題】脱水運転の遠心作用に対し、ドラム内周面への洗濯物のへばり付きを抑えて剥がれ易くし、乾燥時のしわの発生を防ぐとともに、更には布傷みを抑え槽外への水の流れも良好とする。【解決手段】周壁に多数の水抜き穴１１と、内方に突出した凸部１３を有するドラム１０を備えたものにおいて、前記凸部１３は、脱水回転方向ｒに対し水平方向に長く延び、その長手方向の端部が径小（半径Ｒ2）の円弧形状をなすとともに、同直交方向に対しては径大（半径Ｒ1）な円弧形状をなし、これら各円弧形状を連ねて先細りの扁平な楕円形とする外形形状をなし、前記凸部１３の中央部には、該凸部の長手方向に延びる稜線１３ａを有し、該稜線１３ａの左右端部は、徐々に消失して面一となる構成とする。【選択図】図１
2010022757.tif 000002
【特許請求の範囲】
【請求項１】
貯水可能な水槽内に設けられ、内部に収容した洗濯物を遠心脱水する洗濯兼脱水槽を備えたものにおいて、
前記洗濯兼脱水槽は、周壁に多数の水抜き穴と、内方に突出した凸部を有し、
前記凸部は、脱水回転方向に対し水平方向に長く延び、その長手方向の左右端部が径小の円弧形状をなすとともに、同直交方向に対しては径大な円弧形状をなし、これら各円弧形状を連ねて先細りの扁平な楕円形とする外形形状をなし、
前記凸部の中央部には、長手方向に延びる稜線を有し、該稜線の左右端部は、徐々に消失して面一となる構成としたことを特徴とする洗濯機。
【請求項２】
洗濯兼脱水槽の水抜き穴は、少なくとも脱水回転方向に対し凸部により左右に振り分けられる水の流れに沿って配置されていることを特徴とする請求項１記載の洗濯機。
【請求項３】
凸部の配置数は、洗濯物を投入する開口側に比し、奥側に多く配置したことを特徴とする請求項１又は２記載の洗濯機。
【請求項４】
凸部は、該凸部の長手方向が、脱水回転方向に対し所定角度仰ぐ配置構成としたことを特徴とする請求項１ないし３のいずれかに記載の洗濯機。
【請求項５】
凸部は、稜線を挟む対面を平坦面とし、左右端部の各面域を曲面状としたことを特徴とする請求項１ないし４のいずれかに記載の洗濯機。
【発明の詳細な説明】
【技術分野】
【０００１】
本発明は、洗濯物を遠心脱水する洗濯兼脱水槽を備えた洗濯機に関する。
【背景技術】
【０００２】
従来、洗濯兼脱水槽を垂直軸周りに設けた洗濯機や、水平軸周りに設けたドラム式洗濯機があり、いずれも脱水運転では洗濯兼脱水槽（ドラム）を高速回転し、洗濯物を遠心脱水している。この脱水性能は、後のすすぎ効果や乾燥効果等に大きく影響することから、洗濯兼脱水槽をできるだけ高速回転し高脱水率を得るのが望ましい。
【０００３】
しかしながら、洗濯物への遠心作用が強まるに伴い、洗濯物は洗濯兼脱水槽の内周面に押し付けられて重なった状態でへばり付き、これを剥がし解きほぐすのは容易でない。従って、この脱水運転後にすすぎ洗いを行う場合や、更には乾燥運転をも行う洗濯機の場合など、洗濯物を剥がすのに時間を要して効率的でないし、乾燥した洗濯物にしわができるなどの問題を有している。そこで、洗濯兼脱水槽の内周面に円形状の凸部を多数設け、その谷部に水抜き穴を設けた構成とする提案がなされている（例えば、特許文献１参照）。
【特許文献１】特開２００８−７９７６２号公報
【発明の開示】
【発明が解決しようとする課題】
【０００４】
しかしながら、剥がし易くするための多数の円形状の凸部は、水の流れと衝突して拡散し易く槽外への水の排出を阻害したり、また洗濯物との当接により布傷みを生じ易いなどの難点を有しており、未だ改善の余地を残している。
【０００５】
本発明は、上記問題点を解決するために、脱水運転の遠心作用に対し、へばり付いた状態の洗濯物を剥がれ易くし、乾燥時のしわの発生を防ぐとともに、布傷みを抑え槽外への水の流れも良好とする洗濯兼脱水槽を備えた洗濯機を提供することを目的とする。
【課題を解決するための手段】
【０００６】
上記目的を達成するために、本発明の洗濯機は、貯水可能な水槽内に設けられ、内部に収容した洗濯物を遠心脱水する洗濯兼脱水槽を備えたものにおいて、
前記洗濯兼脱水槽は、周壁に多数の水抜き穴と、内方に突出した凸部を有し、
前記凸部は、脱水回転方向に対し水平方向に長く延び、その長手方向の左右端部が径小の円弧形状をなすとともに、同直交方向に対しては径大な円弧形状をなし、これら各円弧形状を連ねて先細りの扁平な楕円形とする外形形状をなし、
前記凸部の中央部には、長手方向に延びる稜線を有し、該稜線の左右端部は、徐々に消失して面一となる構成としたことを特徴とする（請求項１の発明）。
【発明の効果】
【０００７】
上記手段によれば、遠心脱水作用を受けた洗濯物は、凸部間にまたがりへばり付くが、その密着部位や密着度合を軽減でき、且つ剥がし易い状態を得る。従って、後続のすすぎ洗いでは洗濯物の解きほぐしが速やかにできて効率良く実行でき、或は洗濯物を取り出し乾燥する場合、その取り出し作業が容易でしわを抑えた乾燥効果が期待できる。また、凸部の長手方向の左右端部が先細りの形状としていることから、洗濯物との当接度合が緩和され布傷みを軽減することができるもので、この場合、脱水運転に限らず長時間使用する洗い及びすすぎ洗い運転での同効果も大いに期待できる。更には、凸部には脱水回転方向でもある長手方向に稜線を形成したので、脱水運転時に当該凸部による水の振り分けが良好となり、槽外への水の排出も良好とすることが可能な洗濯機を提供できる。
【発明を実施するための最良の形態】
【０００８】
以下、本発明を乾燥機能を備えたドラム式の洗濯機に適用して示す一実施例につき、図１ないし図５を参照して説明する。そのうち、図３は洗濯機全体の概略構成を示す縦断側面図で、まずこの図３を参照して全体構成につき説明する。
【０００９】
洗濯機の外殻を形成する箱状の筐体１は、該筐体１を構成するうちの特に製品としての正面を形成する前面板２には、上部に操作パネル３、その下位に左右方向に開閉するドア４を備え、更に下方には、排気フィルタ装置５の取手５ａが前面外部に臨んで設けられ、また吹出し口が外部に臨む冷風吹出し手段６が配置されている（いずれも詳細は後述する）。そして、筐体１の底部を構成する台板７が、筐体１の下面開口を塞ぐように設けられている。
【００１０】
筐体１の内部には、実質的に無孔状で貯水可能とした円筒状の水槽８が設けられ、弾性支持されている。例えば、上部からは引張りコイルばねからなるばね部材９で吊下げられ、下部では台板７との間にサスペンション９が設けられ、振動を吸収するよう弾性支持されている。この水槽８の内部には、洗濯物を収容し洗濯兼脱水槽としてのドラム１０が同心状の傾斜軸周りに回転可能に配設されている。
【００１１】
図４は、ドラム１０の斜視図で、その円筒状の周壁である胴部１０ａには、多数の水抜き穴１１や複数個（例えば、３個）のバッフル１２を有する他に、内方に突出した多数の凸部１３（詳細は後述する）を設けている。そして奥側の円盤状の端板１０ｂには、後述する回転軸１８が連結されるとともに、その周りの同心上に複数個の長穴１４を設けている。なお、ドラム１０の前面開口部にはバランスリング１５が取着されている。
【００１２】
しかして、これら水槽８及びドラム１０の前面開口部は洗濯物の投入口として前記ドア４と対向配置しており、水槽８の開口部に装着された柔軟性に富んだベローズ１６により水密に保たれる構成としている。このような洗濯物投入口は、水槽８及びドラム１０が若干前上がりの傾斜状態に軸支されることで、ドア４を介してドラム１０内が見易くて洗濯物の出し入れなどの取扱いを容易にしている。
【００１３】
上記ドラム１０は、図３に示すように水槽８の背面に設けられた例えばアウタロータ形のＤＣブラシレスモータからなるモータ１７の回転軸１８が直結され、該モータ１７にてダイレクトに回転駆動される。その他、周知の如く水槽８底部には、洗濯水を機外に排出すべく排水管路１９が接続され、途中に排水弁２０を経て機外に導出されている。
【００１４】
一方、水槽８及び台板７間には、乾燥運転時に洗濯物が収容されたドラム１０内に乾燥風を循環供給する乾燥ユニットを備えている。この乾燥ユニットは、空気（乾燥風）を循環する循環通路２１と、乾燥風を生成するヒートポンプユニット２２とから大略構成されている。
【００１５】
しかるに、循環通路２１としては、水槽８の前後部に夫々空気の出口２３及び入口２４が設けられ、この出入口２３，２４に夫々連通接続された排気ダクト２５及び給気ダクト２６を有し、排気ダクト２５側には前記排気フィルタ装置５が配置され、乾燥風の排気中から糸屑などのリントを捕獲し、給気ダクト２６側には循環ファン２８を配置した循環ファン装置２７を備えている。これら給排気ダクト２５，２６の下端部側には、これと連続したダクト構成を兼ねた前記ヒートポンプユニット２２が介在されており、以って連続した循環通路２１を形成している。なお、ヒートポンプユニット２２の詳細は後述するが、循環空気を熱交換作用により加熱し乾燥風を生成するためのもので、水槽８の下方にあって前記台板７上に設置固定されている。
【００１６】
以下、ヒートポンプユニット２２につき具体的に説明すると、これは循環通路２１中を流れる循環空気との間で熱交換機能を発揮するヒートポンプ機構２９を有するもので、循環空気を加熱温風化して乾燥風を生成する熱源であるともいえる。そのヒートポンプ機構２９は、周知のように圧縮機３０により、冷媒が凝縮器３１、図示しない膨張弁、及び蒸発器３２の順に循環する冷凍サイクルを有する構成からなり、そのうち蒸発器３２及び凝縮器３１が循環空気流（図３中に矢印で示す）に沿う方向に順に配置され、カバーケース３３で覆われた閉鎖空間を形成し、この閉鎖空間によるダクト構成を兼ねたヒートポンプユニット２２を構成し、前記台板７上に設置固定されている。
【００１７】
斯くして、ヒートポンプユニット２２による熱交換機能につき概略説明すると、凝縮器３１にて循環する空気を加熱して乾燥風を生成し、乾燥風の流れは図３中の矢印で示すように、循環ファン装置２７の循環ファン２８の回転駆動により、給気ダクト２６を経て水槽８の後部入口２４から供給され、内部のドラム１０内に送り込まれて、収容された洗濯物から水分を奪いながら乾燥する。この乾燥に寄与した後の多くの湿気を含む乾燥風たる排気は、前面の出口２３から排気ダクト２５を経てヒートポンプユニット２２に至る。
【００１８】
この場合、排気ダクト２５側に設けられた前記排気フィルタ装置５は、ヒートポンプユニット２２側へのリント等の糸屑の侵入を防止する。そして、蒸発器３２により排気空気中の水分が冷却除湿され、再び凝縮器３１に至り加熱されて新たな乾燥風として再生され循環供給されるもので、このようにヒートポンプユニット２２は、循環空気に対し冷却除湿作用及び加熱作用などを伴う熱交換機能を発揮し、循環供給可能な乾燥風を生成する。
【００１９】
なお、前記した冷風吹出し手段６は、詳細な説明は省略するが、前記ヒートポンプユニット２２の左端部に一体的に配設され、送風ファン６ａを駆動するなどの制御に基づき、前記ヒートポンプ機構２９の蒸発器３２側のみを通す空気流（反矢印方向）を利用して冷風化し、これを機外前方に吹出し可能とするもので、この実施例では所謂冷房手段を選択的に使用可能とした洗濯機を示している。
【００２０】
その他、図３において、操作パネル３の背面側には洗いや乾燥行程などの各種の運転を制御する制御装置３４を備えており、これはマイクロコンピュータを主体とした回路構成からなり、予め記憶された制御プログラムに基づきドラム１０を回転駆動するモータ１７、ヒートポンプ機構２９の圧縮機３０、循環ファン装置２７、排水弁２０や上部に設けた給水弁３５などを駆動制御する。
【００２１】
ここで、ドラム１０の円筒状の胴部１０ａに形成した前記凸部１３の具体構成につき、水抜き穴１１との関連構成も含めて、特に図１、図２、及び図５を参照して説明する。
まず、凸部１３の形状につき図１、図２に基づき説明する。その図１は、ドラム１０の内方から見た要部の拡大正面図で、図２（ａ）は、図１中のａ−ａ線に沿って切断して示す断面図、同図（ｂ）は、同じく図１中のｂ−ｂ線に沿って切断して示す断面図である。なお、図１は、図３で説明したバランスリング１５を有する開口側を上部に、端板１０ｂを有する奥側を下部に見立てたドラム１０の要部を図示したもので、従って脱水回転方向ｒは図示水平方向を示すことになる。
【００２２】
図１，２に示すように、凸部１３は内方に突出し全体の外形形状が扁平で先細りの楕円形状としており（イメージ的にはラグビーボール形状に近似）、上下左右とも対称形状にある。例えば、図示する上下の外形部分は、夫々径大（図１中、一方の半径Ｒ１のみ示す）な円弧形状とし、これと直交する両端部を上記半径Ｒ１より極径小（同、半径Ｒ２で示す）とする円弧形状による外形部分とを接線方向になだらかに繋ぐことにより、上記した如く全体に扁平で先細りの楕円形状とする外形形状が形成される。しかるに、図１中に示す符号ｚは、凸部１３の中心点ｃを通る図示垂直方向の中心線を表している。
【００２３】
そして、凸部１３の中央部には、中心線ｚと直交するように、つまり脱水回転方向ｒと水平で長手方向に延びる稜線１３ａを形成している。ただし、稜線１３ａは、その頂部は丸みを帯びた形状にあって、その長手方向たる左右端部に行くに伴い徐々に消失する構成としている。すなわち、中央の稜線１３ａを挟んだ対面は（図示する上面側及び下面側は）、いずれも平坦面（ｈ）に形成されていて、径大な半径Ｒ１にて円弧状を描く外形部分まで下降傾斜して延びている（図２（ａ）参照）。
【００２４】
これに対し、径小（半径Ｒ２）な円弧形状で囲まれた範囲を含む稜線１３ａの左右端部は、図２（ｂ）に示すように稜線１３ａのなだらかな円弧状に連続して適宜の曲面状（ｋ）を呈していて、上記平坦面（ｈ）と曲面状（ｋ）との境（説明の便宜上、図１中に破線で示す）は、角張らないように円弧状に連続形成してある。しかして、前記した稜線１３ａは、その左右端部の曲面状（ｋ）の面域に至り、段差を呈することなくなだらかに、遂には面一となり消失する構成としている。これにより、当該凸部１３の長手方向の両端部は、滑らかな流線型をなす形態としている。
【００２５】
次いで、前記水抜き穴１１の具体構成につき、特には図１、図５に基づき説明する。
図５は、ドラム１０の胴部１０ａの一部を展開して示す図で、図示する上部側が洗濯物の投入口となる前面開口部を有する配置図として示している。従って、この開口部には前記バランスリング１５が透孔３６を介してねじ止めされることとなり、図中二点鎖線イで示す位置は、取り付けられるバランスリング１５が占める範囲（最下端）を示している。一方、図中下端部に示す二点鎖線ロは、胴部１０ａの奥側の背面開口を閉鎖する前記端板１０ｂの内面位置を示しており、該端板１０ｂを固定するねじ止め用の透孔３７を有している。このバランスリング１５と端板１０ｂとの間（二点鎖線イ，ロ間）の有効な領域に水抜き穴１１が形成される。当然、前記した形状の凸部１３も同領域に配置されるが、その配置構成については別途述べる。
【００２６】
まず、水抜き穴１１の全体の配置構成としては、図５に示すように前面開口側（バランスリング１５側）に比し、ドラム１０の奥側（端板１０ｂ側）に多く配置した構成としている。これは、本実施例では開口側近傍（二点鎖線イの直下部位に相当）の胴部１０ａには、水抜き穴１１を有しない一部領域を設け、これに対し奥側は端板１０ｂ近傍まで水抜き穴１１を設けており、この結果、胴部１０ａの有効な領域において、水抜き穴１１は奥側の領域が配置数を多くした構成としている。従って、この構成に代えて開口側に設ける水抜き穴１１の配置ピッチを「疎」とし、奥側の同配置ピッチを「密」に設けるようにしてもよいが、上記実施例の方が設計製造を容易にする点で有利である。
【００２７】
更には、多数の水抜き穴１１及び凸部１３は、ドラム１０の脱水回転方向ｒに対し、開口側から奥側に向けて後退する方向に傾斜配列としている。すなわち、水抜き穴１１及び凸部１３の配列は、脱水回転方向ｒと水平な配置線ｘ上に設定され、一方図示する上下方向の配列は、水平な配置線ｘに対し所定角度β脱水回転方向ｒ側に傾斜した配置線ｙ上に設定されており、凸部１３は上下左右の中心点ｃが、夫々配置線ｘ，ｙ上に設定され形成されている（図１も参照）。
【００２８】
また、凸部１３と水抜き穴１１との具体的な配置関係につき、特に図１，５に基づき述べると、脱水回転方向ｒと水平方向の配置線ｘ上に配置された、例えば一つの凸部１３に対し、該凸部１３により左右方向（図示上は、上下方向）に振り分けられた位置に水抜き穴１１が配設されている。具体的には、凸部１３の脱水回転方向ｒ側の前方に位置する水抜き穴１１を起点に左右方向（図示上では、上下方向）に振り分けられ、傾斜した配列状態に複数の水抜き穴１１が設けられており、このときの傾斜した配置線を図中ｗ1，ｖ1の符号で示している。
【００２９】
勿論、他の凸部１３に対する振り分けられた水抜き穴１１の配置構成も上記と同一形態としている。のみならず、一つの凸部１３の後方側（反脱水回転方向ｒ側）においても水抜き穴１１は対称位置の配置線ｗ2、ｖ２上に配置設定されていて、図５に示すように一つの凸部１３を取り巻く各配置線ｗ1，ｗ2，v1，ｖ2に沿って配置された複数の水抜き穴１１からなる構成体を、胴部１０ａ周壁に展開することにより、ドラム１０の全体の水抜き穴１１が実質的に形成されている。
【００３０】
次に、上記構成のドラム式洗濯機の作用について説明する。
周知のように、洗いから乾燥まで行なう場合など、操作パネル３にて所望の運転コースを設定し、スタート操作することで運転が開始され、制御装置３４は、モータ１７を駆動し直結されたドラム１０の回転速度を制御して、洗い、中間脱水、すすぎ、最終脱水、及び乾燥行程を自動的に実行する。
【００３１】
以下、各行程につき概述すると、洗い行程では水槽８内に所定の洗濯水量が供給されると、モータ１７が駆動されドラム１０を低速度で、且つ正逆回転駆動する。ドラム１０内の洗濯水を含浸した洗濯物は、バッフル１２により順次かき上げられては落下する所謂たたき洗い作用による洗い運転が所定時間行われる。次いで、中間脱水が開始され、ドラム１０を一方向に高速回転させ、その遠心作用にて洗濯物の脱水が行われ、水は水抜き穴１１から水槽８側に放出され機外に排水される。この中間脱水では、多量に含んでいる洗剤成分を予め抽出することで、次のすすぎ洗いを効率的に行えるようにしている。そのすすぎ洗いは、洗い行程と同様にドラム１０の正逆回転により実行され、すすぎ作用が促進される。
【００３２】
そして、最終脱水行程に至りドラム１０を一方向に高速回転させ、遠心脱水が行われる。この場合、洗濯物は強い遠心作用を受けてドラム１０の内周面にへばり付いた状態になるため、このまま乾燥行程に移行しては乾燥効率は低下し、またしわが付くなど仕上り良好な乾燥効果が得られない。しかるに、本実施例では図１，５などに開示した凸部１３を、ドラム１０の内周面である胴部１０ａに形成したので、洗濯物の密着性を緩和して剥がし易い状態に保持することができる。なお、その詳細な作用説明は後述するとして、このとき別の制御手段として、運転終了前にドラム１０を低速度で正逆回転させ、洗濯物のへばり付いた状態を緩和し壁面から剥がすに有効な制御を行なってもよい。
【００３３】
次に、乾燥行程に至りドラム１０は低速度の正逆回転に駆動制御されるとともに、乾燥ユニットが稼動し、ドラム１０内に乾燥風が循環供給され、洗濯物の乾燥が促進される。すなわち、循環ファン装置２７及びヒートポンプ機構２９の圧縮機３０が駆動される。これにより、ヒートポンプユニット２２の熱交換作用を利用して加熱生成された乾燥風は、図３に示す矢印方向に循環するもので、給気ダクト２６から水槽８及び回転するドラム１０内に供給される。
【００３４】
乾燥風は、ドラム１０内で洗濯物と接触し水分を奪う乾燥作用を促進し、前方の排気ダクト２５を経て排出され、再びヒートポンプユニット２２に至る。ここで水分を多量に含んだ乾燥風は、蒸発器３２により冷却され空気中の水分が凝縮して除湿される。その乾いた空気は、凝縮器３１側に送られ、ここで高温高圧の冷媒と熱交換がなされ、空気は加熱されて新たな乾燥風となり、再び循環通路２１を介して循環し、ドラム１０内に順次供給されることで乾燥作用が進行する。
【００３５】
なお、乾燥運転の開始に際し、最終脱水された洗濯物がドラム１０の内周面から剥がされほぐれた状態にあれば、乾燥風によるむらのない効率的な乾燥作用が得られることは自明である。しかして、本実施例によれば脱水終了時点で洗濯物のへばり付き現象は緩和されており、加えて乾燥運転のドラム１０の正逆回転で速やかに解きほぐされた状態となり、乾燥運転当初から洗濯物への乾燥風は、むらの無い効率的な乾燥作用に有効活用される。この場合、前記したように脱水運転終了前にドラム１０を低速度で正逆回転させ、洗濯物のへばり付いた状態を緩和し壁面から剥がすような制御を行なっている場合は、より一層効果的に洗濯物は解きほぐされ、乾燥作用が促進されることはいうまでもない。
【００３６】
ここで、本実施例に示す凸部１３及び水抜き穴１１の具体的な機能につき、特に図１、図５を参照して以下詳細に説明する。まず、上記最終脱水行程の場合につき述べると、図５に示すように胴部１０ａの内周面に多数の凸部１３を突出して設けたので、洗濯物が密着するのを抑制でき、遠心作用が無くなれば剥がれた状態となり、少なくとも容易に剥がれ易い状態となる。特に、本実施例では図５に示すように、各凸部１３を取り囲むように水抜き穴１１が配置され、つまり水抜き穴１１は配置線ｗ1，ｗ2，ｖ1，ｖ2に沿った１列配置を一構成単位として、展開した構成である。このことは、水抜き穴１１を有する平坦面は連続して広い面域を形成しておらず、従って水抜き穴１１から水が遠心放出される際の吸着作用ともいえる強い遠心作用が洗濯物の広い範囲に及ぶことが無く、この点でも洗濯物が胴部１０ａ内面にへばり付き堅く密着状態になるのを抑制するに有効である。
【００３７】
上記のように、凸部１３及び水抜き穴１１を含めた配置構成などから洗濯物を剥がし易い状態にすることができるが、のみならず、これら突部１３及び水抜き穴１１は脱水性能や洗い性能にも有効に作用する。例えば、洗濯物から脱水された水はドラム１０の内周面を這うように移動し、随時水抜き穴１１から水槽８側に放出される。従って、本来水抜き穴１１が多いほど脱水性能（脱水率）は良くなると思われるが、これに対し、本実施例のように凸部１３を多数設けることは、それだけ水抜き穴１１を設ける範囲を狭めることとなる。
【００３８】
ところが、本実施例では凸部１３の外形形状を先細りの扁平な楕円形とするとともに、一つの凸部１３の前方である脱水回転方向ｒ側において、該凸部１３の左右に振り分けるように展開する配置線w1，v1に水抜き穴１１を配置した構成にあるので、該凸部１３自体と、その中央部たる頂部に位置する稜線１３ａが有効に機能して水を左右方向に振り分けるように作用する。この場合、稜線１３ａを挟む対面は平坦面（ｈ）であるため、振り分けられた水の流れの抵抗となることがなく円滑に流れる。しかも、この左右方向に振り分けられた水は、該水の流れと同傾向の傾斜角度をなす各配置線w1，v1上に水抜き穴１１を配置したので、該水抜き穴１１から効果的に排出され、以って脱水性能の低下を招くことなく、むしろ向上することが期待できる。
【００３９】
また、このとき、胴部１０ａの内面を這う水と当接し易い突部１３の端部は、稜線１３ａが無い曲面状（ｋ）からなる流線型をなしているので、抵抗が少なく水を拡散することなくスムーズな水の流れを維持できる。勿論、凸部１３により洗濯物がへばり付く密着度合を緩和するので、それだけ胴部１０ａ内面を這う水の流れはスムーズとなり、水抜き穴１１から槽外への排出は良好で効率の良い脱水性能が期待できる。
【００４０】
これに対し、最終脱水行程に続いて行われる乾燥行程では、前記した如くドラム１０を低速で正逆回転させる。従って、凸部１３は、その長手方向たる左右端部にて洗濯物と当接することになる。特に運転当初の当接作用は、胴部１０ａの内面側にへばり付いている洗濯物を速やかに剥がすに有効に作用し、既に剥がれた状態にある洗濯物とともに撹拌作用が促進され、乾燥風によるむらの無い乾燥作用のもとに、効率の良い乾燥効果が得られる。加えて、既述の如く凸部１３の左右端部は図１に示すように径小（半径Ｒ２）とする外形形状にあって、且つ稜線１３ａは左右端部にて消失し曲面状（ｋ）と面一となるなど、端部は流線型をなしていることから、洗濯物に急激な衝撃を与えることがなく当接による布傷みを生じることもない。
【００４１】
ところで、このような洗濯物と凸部１３との当接は、洗いやすすぎ運転においては繰り返し実行されることになるが、上記した同じ理由により布傷みを有効に抑えることができる。しかも、基本的に洗濯物と凸部１３との摩擦接触は洗い性能の向上が期待できるが、ドラム式洗濯機におけるたたき洗いでは、バッフル１２により洗濯物をドラム１０の上部の高い位置までかき上げては落下させることが、洗い性能を良くする上で有効である。
【００４２】
しかるに、本実施例によれば凸部１３が各バッフル１２間の胴部１０ａ内面に突設してあるので、洗濯物を持ち上げるに有効な摩擦体としても作用し、以ってかき上げ作用を補助でき、たたき洗いによる洗い性能の向上に寄与する。しかも、図５に示すように凸部１３は、バランスリング１５を有する開口側に比し、端板１０ｂを有する奥側に多く配置したので、洗い運転では洗濯物との接触が増し、一層洗い性能の向上が期待でき、また脱水運転では運転当初における洗濯物がドラム１０の傾斜した奥側に位置している場合が多く、従って多くの凸部１３による上記剥がし効果を存分に発揮できとともに、多くの水抜き穴１１を活用して水を効果的に槽外に排出できる。
【００４３】
上記実施例によれば、次のような効果を有する。
脱水運転時に遠心力を受けた洗濯物は、各凸部１３間にまたがり胴部１０ａの内面への密着部位や密着度合を軽減できて剥がし易い状態とすることができる。従って、例えば続いてすすぎ洗いを行なう場合には、洗濯物は速やかに解きほぐされ効率良くすすぎ洗いが実行でき、また洗濯物を取り出して乾燥する場合には、その取り出し作業が容易で、且つしわを抑えた乾燥効果が期待できる。或は、脱水運転に続いて自動的に乾燥行程を実行するものでは、やはり凸部１３による剥がし効果を得て洗濯物を速やかに解きほぐした状態とすることができ、効率的で乾燥むらの無い仕上げ状態が良好な乾燥作用が期待できる。
【００４４】
また、各凸部１３の長手方向の左右端部が先細りで扁平な楕円形状としていることから、洗濯物との当接度合が小さくなり布傷みを軽減することができる。特に左右端部では、稜線１３ａを有しない曲面状（ｋ）に形成され、所謂流線型としていることから洗濯物への当接を緩和することができる。この場合、脱水運転に限らず長時間利用する洗いやすすぎ洗い運転、及び乾燥運転においても同様の効果が大いに期待できる。しかも、上記の如く洗濯物のへばり付きや布傷みを防止できることにより、ドラム１０の回転速度の設定を更に上げることが可能となり、この結果、一層高脱水率を得ることが可能になり、乾燥性能の向上も期待でき、或いは回転制御を設定する自由度が拡大する利点を有する。
【００４５】
更には、凸部１３には脱水回転方向ｒでもある長手方向に稜線１３ａを形成しているので、脱水運転時に当該凸部１３による水の振り分けが良好にでき、この振り分けにより流れが集中傾向にある水を、各凸部１３間に設けられた水抜き穴１１から槽外へ効果的に排出でき、脱水性能の向上が期待できる。特に、上記実施例では凸部１３の左右端部のみ径小（半径Ｒ２）な円弧状とする外形形状とし、その上面は稜線１３ａも徐々に消失し曲面状（ｋ）と面一とする構成にあるため、該凸部１３による水の左右方向への振り分けが良好に行われ、且つこの振り分け方向に沿う傾斜角度をなす各配置線w1，v1方向に水抜き穴１１を配置したので、当該水抜き穴１１からの排出作用が一層速やかに促進される。
【００４６】
また、図５にて明らかなように、ドラム１０の洗濯物投入口とする開口側に対し、奥側に多くの凸部１３及び水抜き穴１１を配置する構成としたので、洗い運転では洗濯物が下降傾斜したドラム１０の奥側に位置する傾向が多いことから、奥側の多くの凸部１３との接触及びかき上げ効果に基づく洗い性能の向上が期待できる。一方、脱水運転当初では、やはり奥側に位置する洗濯物に対し、多くの凸部１３は洗濯物のへばり付きを有効に抑えるとともに、多くの水抜き穴１１を有効活用して脱水作用を促進でき、しかも脱水運転当初は洗濯物からの脱水量も多いが、これにも有効に対処できて水の排出作用を促進できるなどの諸効果が期待できる。なお、上記実施例では胴部１０ａの有効な領域において、開口側の近傍には凸部１３や水抜き穴１１を形成しない領域を設けることで、奥側に比していずれも配置数が少なくなる構成としたが、この構成に限らず、開口側の配置数が少なく奥側に多くなる配置構成であればよい。
【００４７】
＜変形例＞
図６は、上記実施例の変形例を示す図５相当図で、上記実施例と同一部分には同一符号を付して説明を省略し、異なる点につき説明する。
このものは、ドラム１０の全体構成や水抜き穴１１の配置構成など上記実施例と共通で
、また凸部１３自体の形状や大きさも共通であるが、ただ配置構成において一部相違している。すなわち、凸部１３の中心点ｃは配置線ｘ，ｙ上に位置しているが、その長手方向が脱水回転方向ｒに対し、所定角度仰ぐ配置構成としたものである。
【００４８】
具体的には、凸部１３の長手方向の中心とする中心線ｅ（稜線１３ａと同位置となる）が、水平方向である脱水回転方向ｒに対し所定角度傾斜する配置構成となすもので、これを図６では脱水回転方向ｒと水平方向で一致する関係の配置線ｘに対し、所定角度α傾斜した中心線ｅとなる関係を示している。結果、凸部１３は中心点ｃを中心に僅か図示左回りに回動した如く、凸部１３の脱水回転方向ｒ側の右端部が僅か図示右上がりの形態に配置されたこととなる。
【００４９】
斯かる構成によれば、脱水回転方向ｒに対し、凸部１３の長手方向が所定角度α仰ぐ構成としたので、脱水運転時にドラム１０が高速回転された場合、通常では洗濯物が開口側に移動しアンバランスの状態となり易いが、本実施例では洗濯物は、右上がりの多数の凸部１３の長手方向の右側面（図示下面側）に当接することで、開口側への移動が抑えられ奥側に向けた押込み作用を受ける。特に、脱水作用が進むほど洗濯物は軽くなり一層開口側に移動し易くなるが、上記凸部１３の押込み作用により、洗濯物は水平方向である脱水回転方向ｒに対し、その移動方向が矢印ｓで示すように相対的に斜め後方に移動する傾向を呈する。
【００５０】
これにより、ドラム１０は洗濯物の移動に伴うアンバランスによる過振状態を極力回避でき、円滑な脱水運転が促進できるもので、特に傾斜軸や水平軸周りのドラム１０を備えたドラム式洗濯機に好適する。その他、凸部１３の長手方向の端部は若干回動した如き位置にあるが、僅かの変位でありその端部の所謂流線型による作用効果や、稜線１３ａが有する作用効果など、上記実施例と同様の効果を有することはいうまでもない。
【００５１】
なお、本発明は上記し且つ図面に示した実施例に限定されることなく、例えば洗濯槽兼脱水槽としては傾斜軸、或は水平軸周りのドラムに限らず、縦軸周りの洗濯兼脱水槽を備えた洗濯機にも容易に転用できる。また、乾燥機能を有する洗濯機に好適するが、必ずしも乾燥機能は必要としない。更には、凸部の周囲に配置した水抜き穴の配置構成など具体的に種々変更して展開可能で、実施に際しては本発明の要旨を逸脱しない範囲で種々変更して実施できるものである。
【図面の簡単な説明】
【００５２】
【図１】本発明をドラム式の洗濯機に適用した一実施例を示す要部の拡大正面図
【図２】（ａ）は、図１のａ−ａ線に沿って切断して示す断面図、（ｂ）は図１のｂ−ｂ線に沿って切断して示す断面図
【図３】洗濯機全体の概略構成を示す縦断側面図
【図４】ドラムの斜視図
【図５】ドラムの胴部の一部を展開した図
【図６】変形例を示す図５相当図
【符号の説明】
【００５３】
図面中、１は筐体、８は水槽、１０はドラム（洗濯兼脱水槽）、１０ａは胴部、１０ｂは端板、１１は水抜き穴、１３は凸部、１３ａは稜線、２１は循環通路、２２はヒートポンプユニット、２９はヒートポンプ機構、３０は圧縮機、３１は凝縮器、３２は蒸発器、及び３４は制御装置を示す。
【図１】
2010022757.tif 000003
【図２】
2010022757.tif 000004
【図３】
2010022757.tif 000005
【図４】
2010022757.tif 000006
【図５】
2010022757.tif 000007
【図６】
2010022757.tif 000008